(57)【要約】【課題】本発明は、走査信号の遅延の影響を抑制して、表示領域内で表示特性を均一化した液晶表示装置の提供を目的とする。【解決手段】本発明に係る液晶表示装置は、ＴＦＴアレイ基板１０と、対向電極が形成された対向基板２０との間に液晶を封入した液晶表示装置であって、ＴＦＴアレイ基板１０には、複数の走査信号配線１１と、複数の画像信号配線１３がマトリクス状に形成されており、対向電極は、複数の対向電極ライン２２から構成され、複数の対向電極ライン２２の各々は、複数の走査信号配線１１の各々または複数の画像信号配線１３の各々に平面視で沿って設けられ、複数の対向電極ライン２２の各々は、延伸方向に電位分布を持ち、複数の対向電極ライン２２間で、電位分布が異なることを特徴とする。【選択図】図２
2014190997.tif 000002
【特許請求の範囲】
【請求項１】
ＴＦＴアレイ基板と、対向電極が形成された対向基板との間に液晶を封入した液晶表示装置であって、
前記ＴＦＴアレイ基板には、複数の走査信号配線と、複数の画像信号配線がマトリクス状に形成されており、
前記対向電極は、複数の対向電極ラインから構成され、
前記複数の対向電極ラインの各々は、前記複数の走査信号配線の各々または前記複数の画像信号配線の各々に平面視で沿って設けられ、
前記複数の対向電極ラインの各々は、延伸方向に電位分布を持ち、
前記複数の対向電極ライン間で、前記電位分布が異なることを特徴とする、
液晶表示装置。
【請求項２】
前記ＴＦＴアレイ基板または前記対向基板は、前記複数の対向電極ラインの両端に平面視で沿った第１、第２の対向電位入力部を備え、
前記複数の対向電極ラインの両端は前記第１、第２の対向電位入力部に接続され、
前記第１、第２の対向電位入力部のそれぞれの両端には異なる電位が入力されることを特徴とする、
請求項１に記載の液晶表示装置。
【請求項３】
前記複数の対向電極ラインの各々の抵抗値が異なることを特徴とする、
請求項２に記載の液晶表示装置。
【請求項４】
前記ＴＦＴアレイ基板または前記対向基板は、前記複数の対向電極ラインの両端に平面視で沿った第１、第２の対向電位入力部を備え、
前記複数の対向電極ラインの両端は前記第１、第２の対向電位入力部に接続され、
前記第１、第２の対向電位入力部には、異なる電位が入力され、
前記複数の対向電極ラインの各々で抵抗値が異なることを特徴とする、
請求項１に記載の液晶表示装置。
【請求項５】
前記複数の対向電極ラインの各々は、前記第１の対向電位入力部および第２の対向電位入力部との接続部分の各々に抵抗部を備えることを特徴とする、
請求項３または請求項４に記載の液晶表示装置。
【請求項６】
前記抵抗部は酸化インジウムスズで形成されており、
前記複数の対向電極ラインの各々で前記抵抗部の線幅が異なることを特徴とする、
請求項５に記載の液晶表示装置。
【請求項７】
前記第１、第２の対向電位入力部は金属であり、
前記抵抗部は金属部材であり、
前記複数の対向電極ラインの各々で、前記対向電極ラインが延伸する方向に対する前記金属部材の長さが異なることを特徴とする、
請求項５に記載の液晶表示装置。
【請求項８】
前記第１、第２の対向電位入力部は前記ＴＦＴアレイ基板に設けられ、
前記複数の対向電極ラインの各々は両端に金属部材を備え、
前記金属部材と、前記第１、第２の対向電位入力部のそれぞれとの接触面積が、前記複数の対向電極ラインにおいて異なることを特徴とする、
請求項３または請求項４に記載の液晶表示装置。
【請求項９】
前記ＴＦＴアレイ基板または前記対向基板は、前記複数の対向電極ラインの両端に平面視で沿った第１、第２の対向電位入力部を備え、
前記複数の対向電極ラインの両端は前記第１、第２の対向電位入力部に接続され、
前記第１、第２の対向電位入力部には、異なる電位が入力され、
前記第１、第２の対向電位入力部は酸化インジウムスズで形成されることを特徴とする、
請求項１に記載の液晶表示装置。
【請求項１０】
前記第１の対向電位入力部および前記第２の対向電位入力部は、前記第１、２の対向電位入力部が延伸する方向に対して、抵抗値の分布を持つことを特徴とする、
請求項９に記載の液晶表示装置。
【請求項１１】
前記対向電極ラインの形状が、延伸方向において変化することを特徴とする、
請求項１〜１０のいずれかに記載の液晶表示装置。
【発明の詳細な説明】
【技術分野】
【０００１】
本発明は液晶表示装置に関し、特に、ＴＦＴアレイ基板と、対向電極が形成された対向基板との間に液晶を封入した液晶表示装置に関する。
【背景技術】
【０００２】
アクティブマトリクス液晶表示装置は、ＴＦＴ（Ｔｈｉｎ  Ｆｉｌｍ  Ｔｒａｎｓｉｓｔｏｒ）アレイ基板と、ＴＦＴアレイ基板と対向するカラーフィルタ基板と、これらの基板の間に封入される液晶を備える。ＴＦＴアレイ基板は、表示領域に走査信号配線、画像信号配線、画素電極、スイッチング素子がマトリクス状に配置された構成となっている。また、表示領域の周辺部には、ＩＣ等を実装する実装領域と、実装領域に実装された端子から表示領域の各信号線（走査信号配線、画像信号配線）へ配線を引き回す額縁領域がある。
【０００３】
また、カラーフィルタ基板（対向基板）にはカラーフィルタおよび対向電極が形成されている。スイッチング素子が走査信号によりオンすることで、画素電極は画像信号配線の電位に充電される。スイッチオフ時に、走査信号線と画素電極間との容量により画素電極の電位が変動（減少）する。一般的に、この画素電極の電位変動はフィードスルー（電圧）や突き抜け電圧と呼ばれている。フィードスルー後に画素電極と対向電極間に印加される電圧が各画素における輝度を決定する。
【０００４】
ＴＦＴをスイッチング素子として用いるアクティブマトリクス液晶表示装置は、フリッカーの発生など、表示特性が表示面内で不均一となることが問題となることがある。
【０００５】
表示面内の表示特性の不均一性は、フィードスルーによる電圧の変動が表示面内で分布を持つことにより生じる。この電圧変動が表示面内で不均一となるのは、走査信号配線が持つ抵抗や容量によって、各々の画素電極に対して異なる走査信号遅延が生じるためである。
【０００６】
フィードスルー後の画素電極電位は、信号遅延が大きいほど高い電位となる。画像信号配線には、焼付きを防止するために交流化電位を与えているため、フィードスルー後の画素電極電位の中心電位が最適なコモン電位（以下、最適Ｖｃｏｍと記載）となる。つまり、信号遅延が大きいほど最適Ｖｃｏｍは大きくなる（例えば、特許文献１を参照）。対向電極の電位（即ちコモン電位）が最適Ｖｃｏｍからずれているとフリッカーが生じる。
【０００７】
さらに、ＩＣ等の実装端子から表示領域までの引き回し配線も走査信号の遅延の原因となる。ＣＯＧ（Ｃｈｉｐ  ｏｎ  Ｇｌａｓｓ）方式は、ＩＣを直接基板に実装する構造であり、パネル上での引き回し配線は、ＩＣの実装端子から表示領域まで引き回される。ＣＯＦ（Ｃｈｉｐ  ｏｎ  Ｆｉｌｍ）方式では、フィルム基板上にＩＣを実装し、フィルムをパネルに実装する構造であり、パネル上の引き回し配線は、フィルムとパネルを接続する実装端子から表示領域の端まで引き回される。
【０００８】
表示領域の下辺側に実装端子が配置される場合、表示領域上辺側の走査信号配線への引き回し配線は長くなり、表示領域下辺側の走査信号配線への引き回し配線は短くなる。一般に、引き回し配線を配置する額縁領域の幅は、できるだけ狭くすることが要求される。そのため、引き回し配線の配線幅を変化させて、引き回し配線の抵抗差を上辺側と下辺側で十分小さくすることは困難となることが多い。従って、走査信号が表示領域端の走査信号入力部に入力される時点で信号遅延が生じることになる。よって、走査信号配線上で最適Ｖｃｏｍが電位分布を持つだけでなく、走査信号配線ごとに最適Ｖｃｏｍは異なる電位分布を持つことになる。
【先行技術文献】
【特許文献】
【０００９】
【特許文献１】特開２００１−１５４２２２号公報
【特許文献２】特開２００２−９１３９１号公報
【発明の概要】
【発明が解決しようとする課題】
【００１０】
以上で述べた様に、走査信号配線が延伸する方向への信号遅延対策だけでなく、走査信号配線ごとにも信号遅延の対策を行う必要がある。
【００１１】
特許文献２には、対向電極の両端に異なる電位を与えることにより、対向電位の分布を傾斜させて、対向電位の電位分布を最適Ｖｃｏｍの電位分布に近づける技術が記載されている。しかし、上述の様に走査信号配線ごとに最適Ｖｃｏｍの電位分布が異なるため、対向電極全体として電位分布を一様に傾斜させるだけでは不十分であった。
【００１２】
本発明は以上のような課題を解決するためになされたものであり、走査信号の遅延の影響を抑制して、表示領域内で表示特性を均一化した液晶表示装置の提供を目的とする。
【課題を解決するための手段】
【００１３】
本発明に係る液晶表示装置は、ＴＦＴアレイ基板と、対向電極が形成された対向基板との間に液晶を封入した液晶表示装置であって、ＴＦＴアレイ基板には、複数の走査信号配線と、複数の画像信号配線がマトリクス状に形成されており、対向電極は、複数の対向電極ラインから構成され、複数の対向電極ラインの各々は、複数の走査信号配線の各々または複数の画像信号配線の各々に平面視で沿って設けられ、複数の対向電極ラインの各々は、延伸方向に電位分布を持ち、複数の対向電極ライン間で、電位分布が異なることを特徴とする。
【発明の効果】
【００１４】
本発明によれば、対向電極ラインは、その延伸方向に対向電位の分布を持ち、かつ対向電極ライン間で対向電位の分布が異なる。従って、最適なコモン電位（最適Ｖｃｏｍ）が表示領域に対して上下左右方向に分布を持つ場合であっても、各対向電極ラインの電位分布が最適Ｖｃｏｍに近づくように、各対向電極ラインごとに電位分布を調整すれば、液晶表示装置の表示特性を表示領域内で均一化することが可能である。
【図面の簡単な説明】
【００１５】
【図１】実施の形態１に係る液晶表示装置のＴＦＴアレイ基板の構成を示す平面図である。
【図２】実施の形態１に係る液晶表示装置の対向基板の構成を示す平面図である。
【図３】実施の形態１に係る表示領域下辺側の画素電極の電位変化を示す図である。
【図４】実施の形態１に係る液晶表示装置の最適コモン電位の電位分布を模式的に示す図である。
【図５】実施の形態１に係る表示領域上辺側の画素電極の電位変化を示す図である。
【図６】実施の形態１の変形例に係るＴＦＴアレイ基板の構成を示す平面図である。
【図７】実施の形態１の別の変形例に係るＴＦＴアレイ基板の構成を示す平面図である。
【図８】実施の形態２に係る対向基板の構成を示す部分平面図である。
【図９】実施の形態３に係る対向基板の構成を示す平面図である。
【図１０】実施の形態４に係る対向基板の構成を示す平面図である。
【図１１】実施の形態５に係る対向基板の構成を示す平面図である。
【図１２】実施の形態６に係る対向基板の構成を示す平面図である。
【図１３】実施の形態７に係る対向電極ラインの構成を示す図である。
【図１４】実施の形態７に係る液晶表示装置の最適コモン電位の電位分布を模式的に示す図である。
【発明を実施するための形態】
【００１６】
＜実施の形態１＞
＜構成＞
本実施の形態における液晶表示装置は、ＴＦＴアレイ基板１０と、対向電極が形成された対向基板２０との間に液晶（図示せず）を封入した液晶表示装置である。図１（ａ）に、本実施の形態における液晶表示装置のＴＦＴアレイ基板１０に配設された走査信号配線１１の構成を示す。また、図１（ｂ）に、本実施の形態における液晶表示装置のＴＦＴアレイ基板１０に配設された画像信号配線１３の構成を示す。
【００１７】
図１（ａ）に示す様に、ＴＦＴアレイ基板１０には、走査信号を制御するゲートＩＣ１２がＴＦＴアレイ基板１０の下辺側に実装されている。ゲートＩＣ１２から引き回し配線領域１１ａを介して、複数の走査信号配線１１が表示領域１ａに対して左右方向に延設されている。
【００１８】
また、図１（ｂ）に示す様に、ＴＦＴアレイ基板１０には、画像信号を制御するソースＩＣ１４が基板の下辺側に実装されている。ソースＩＣ１４から引き回し配線領域１３ａを介して、複数の画像信号配線１３が表示領域１ａに対して上下方向に延設されている。
【００１９】
なお、図１（ａ）においては、図の見易さのために画像信号配線１３、画像信号配線１３の引き回し配線領域１３ａおよびソースＩＣ１４を省略してある。同様に、図１（ｂ）においては、図の見易さのために走査信号配線１１、走査信号配線１１の引き回し配線領域１１ａおよびゲートＩＣ１２を省略してある。なお、図示していないが、マトリクス状に配設された走査信号配線と画像信号配線の各交差点には、画素電極、ＴＦＴが配置されている。
【００２０】
図２（ａ）に、本実施の形態における液晶表示装置の対向基板２０の構成を示す。対向基板２０は、対向電極と、第１、第２の対向電位入力部２１ａ，２１ｂと、カラーフィルタ（図示せず）を備える。対向電極は、表示領域１ａに対して左右方向に延設された複数の対向電極ライン２２から構成される。各対向電極ライン２２は、図１（ａ）の各走査信号配線１１に沿って配設されている。つまり、対向電極は、走査信号配線１１と同数の対向電極ライン２２から構成される。
【００２１】
対向電極ライン２２の両端は、第１、第２の対向電位入力部２１ａ，２１ｂに接続される。対向電極ライン２２は、第１の対向電位入力部２１ａおよび第２の対向電位入力部２１ｂとの接続部分の各々に抵抗部２３ａ，２３ｂを備える。表示領域１ａにおいて、対向電極ライン２２は、一定の幅のＩＴＯ（Ｉｎｄｉｕｍ  Ｔｉｎ  Ｏｘｉｄｅ）で形成されている。
【００２２】
図２（ｂ）に、対向電極ライン２２と第１、第２の対向電位入力部２１ａ，２１ｂとの接続部分の拡大図を示す。本実施の形態において、抵抗部２３ａ，２３ｂは、ＩＴＯで形成され、図２（ｂ）に示すように、抵抗部２３ａ，２３ｂの線幅２３Ｗを変化させることによって、対向電極ライン２２の抵抗値を変化させることができる。線幅２３Ｗを広くすると抵抗値は小さくなり、逆に、線幅２３Ｗを狭くすると抵抗値が大きくなる。
【００２３】
＜動作＞
図３（ａ），（ｂ）に、ゲートＩＣ１２からの引き回し配線が最も短い走査信号配線１１（つまり表示領域１ａ下辺側の走査信号配線１１）における走査信号の波形と、この走査信号配線１１に接続された画素電極の電位の時間変化を示す。図３（ａ）は走査信号入力側、図３（ｂ）は走査信号終端側の電位変化をそれぞれ表す。
【００２４】
図３（ａ），（ｂ）より、走査信号終端側の方が、走査信号入力側よりも走査信号の遅延が大きくなっていることがわかる。また、図３（ａ）中のフィードスルー電圧ΔＶよりも、図２（ｂ）中のフィードスルー電圧ΔＶの方が小さい。これは、走査信号の遅延の増大に伴って、フィードスルー電圧が小さくなることを意味している。
【００２５】
最適Ｖｃｏｍは、フィードスルー後の電位の中心電位で決まるため、フィードスルー電圧ΔＶが小さくなると、最適Ｖｃｏｍは大きくなる。つまり、走査信号終端側（図３（ｂ））の方が、走査信号入力側（図３（ａ））よりも最適Ｖｃｏｍが大きくなる。以上より、表示領域１ａの下辺側における最適Ｖｃｏｍの分布は、図４の実線で模式的に表される。
【００２６】
図５（ａ），（ｂ）に、ゲートＩＣ１２からの引き回し配線が最も長い走査信号配線１１（つまり表示領域１ａ上辺側の走査信号配線１１）における走査信号の電位と、この走査信号配線１１に接続された画素電極の電位の時間変化を示す。図５（ａ）は走査信号入力側、図５（ｂ）は走査信号終端側の電位変化をそれぞれ表す。
【００２７】
図５（ａ），（ｂ）より、図３（ａ），（ｂ）と同様、走査信号終端側の方が、走査信号入力側よりも最適Ｖｃｏｍが大きいことがわかる。また、図５（ａ）中のフィードスルー電圧ΔＶは、図３（ａ）中のフィードスルー電圧ΔＶよりも小さい。つまり、同じ走査信号入力側でも、引き回し配線がより長い走査信号配線の方が、最適Ｖｃｏｍが大きい。以上より、表示領域１ａの上辺側における最適Ｖｃｏｍの分布は、図４の破線で模式的に表される。
【００２８】
以上では、引き回し配線の最も短い走査信号配線１１と、引き回し配線の最も長い走査信号配線１１について最適Ｖｃｏｍを説明した。走査信号配線１１の引き回し配線の長さは、表示領域１ａの下辺側から上辺側に向かって順に長くなっているため、他の走査信号配線１１における最適Ｖｃｏｍの電位分布は、引き回し配線の長さの増大に伴って、図４の実線で表される分布から、破線で表される分布に向かって、これらの間に順に現れる。
【００２９】
本実施の形態では、以下で述べる構成により、対向電極の電位分布（即ち各対向電極ライン２２の電位分布）を、図４に模式的に示した最適Ｖｃｏｍの電位分布に近づけることが可能である。
【００３０】
本実施の形態では、第１、第２の対向電位入力部２１ａ、２１ｂに異なる電位を入力する。これにより、対向電極ライン２２の延伸する方向おいて、対向電位の分布に傾斜をつける。図４に示した最適Ｖｃｏｍの電位分布は、走査信号終端側（即ち第２の対向電位入力部２１ｂ側）の方がより高い電位を持つため、第２の対向電位入力部２１ｂには、第１の対向電位入力部２１ａよりも高い電位が入力される。
【００３１】
本実施の形態ではさらに、各対向電極ライン２２の両端に備わる抵抗部２３ａ，２３ｂの抵抗値を調整する。これにより、対向電極ライン２２ごとに、対向電位の分布を変化させることができる。
【００３２】
具体的には、最も引き回し配線の長い走査信号配線１１に対応する対向電極ライン２２（即ち、表示領域１ａ上辺側の対向電極ライン２２）については、抵抗部２３ｂの抵抗値よりも抵抗部２３ａの抵抗値を大きく設定する。引き回し配線の長さが短くなるに従って、抵抗部２３ａの抵抗値を徐々に小さくしていき、抵抗部２３ｂの抵抗値を徐々に大きくしていく。最も引き回し配線の短い走査信号配線１１に対応する対向電極ライン２２（即ち、表示領域１ａ下辺側の対向電極ライン２２）については、抵抗部２３ａの抵抗値よりも抵抗部２３ｂの抵抗値が大きく設定される。
【００３３】
以上のように各対向電極ライン２２において抵抗部２３ａ，２３ｂの抵抗値を設定することにより、各対向電極ライン２２の電位分布を図４の最適Ｖｃｏｍの電位分布に近づけることができる。
【００３４】
なお、走査信号配線１１直上に対向電極ライン２２を形成しないことにより、走査信号配線１１が持つ寄生容量を減少させることができる。これにより、ゲートＩＣ１２の駆動消費電力を減らすことが可能である。また、寄生容量減少により、走査信号の遅延を低減することができるため、第１、第２の対向電位入力部２１ａ，２１ｂに入力する電位の電位差を小さくすることができる。これにより、消費電力を削減することが可能である。
【００３５】
＜実施の形態１の変形例＞
本変形例におけるＴＦＴアレイ基板１０の構成を図６に示す。本変形例では、ゲートＩＣ１２は表示領域１ａの左辺側に実装される。その他の構成は実施の形態１と同じであるため、説明を省略する。この場合、ゲートＩＣ１２からの引き回し配線が最も長くなる、表示領域１ａ下辺側と上辺側の端において最適Ｖｃｏｍの分布は同じ分布となり、図４の破線で模式的に表される。また、ゲートＩＣ１２からの引き回し配線が最も短くなる、表示領域１ａの中心において画素電極の最適Ｖｃｏｍの分布は、図４の実線で模式的に表される。
【００３６】
また、他の走査信号配線に対応した最適Ｖｃｏｍの分布は、図４の破線と実線で表される分布の間に引き回し配線の長さの順に現れる。本変形例の様にゲートＩＣ１２を配置した場合であっても、各対向電極ライン２２の両端に備わる抵抗部２３ａ，２３ｂの抵抗値の大きさを、引き回し配線の長さに応じて変化させることにより、各対向電極ライン２２の電位分布を最適Ｖｃｏｍの分布に近づけることが可能である。
【００３７】
また、別の変形例におけるＴＦＴアレイ基板１０の構成を図７に示す。図７に示す様にゲートＩＣ１２を表示領域１ａの左辺側に、２箇所に分けて実装してもよい。この場合も、各ゲートＩＣ１２からの引き回し配線の長さに応じて、各対向電極ライン２２の両端に備わる抵抗部２３ａ，２３ｂの抵抗値の大きさを調整することによって、各対向電極ライン２２の電位分布を最適Ｖｃｏｍの分布に近づけることが可能である。
【００３８】
＜効果＞
本実施の形態における液晶表示装置は、ＴＦＴアレイ基板１０と、対向電極が形成された対向基板２０との間に液晶を封入した液晶表示装置であって、ＴＦＴアレイ基板１０には、複数の走査信号配線１１と、複数の画像信号配線１３がマトリクス状に形成されており、対向電極は、複数の対向電極ライン２２から構成され、複数の対向電極ライン２２の各々は、複数の走査信号配線１１の各々または複数の画像信号配線１３の各々に平面視で沿って設けられ、複数の対向電極ライン２２の各々は、延伸方向に電位分布を持ち、複数の対向電極ライン２２間で、電位分布が異なることを特徴とする。
【００３９】
つまり、本実施の形態において、対向電極ライン２２は、その延伸方向に対向電位の分布を持ち、かつ対向電極ライン２２間で対向電位の分布が異なる。従って、最適なコモン電位（最適Ｖｃｏｍ）が表示領域１ａに対して上下左右方向に分布を持つ場合であっても、各対向電極ライン２２の電位分布が最適Ｖｃｏｍに近づくように、各対向電極ライン２２ごとに電位分布を調整すれば、液晶表示装置の表示特性を表示領域１ａ内で均一化することが可能である。
【００４０】
また、本実施の形態における液晶表示装置において、ＴＦＴアレイ基板１０または対向基板２０は、複数の対向電極ライン２２の両端に平面視で沿った第１、第２の対向電位入力部２１ａ，２１ｂを備え、複数の対向電極ライン２２の両端は第１、第２の対向電位入力部２１ａ，２１ｂに接続され、第１、第２の対向電位入力部２１ａ，２１ｂには、異なる電位が入力され、複数の対向電極ライン２２の各々で抵抗値が異なることを特徴とする。
【００４１】
従って、第１、第２の対向電位入力部２１ａ，２１ｂに異なる電位を入力することによって、対向電極ライン２２の対向電位の分布に傾斜を持たせることができる。さらに、対向電極ライン２２ごとに、対向電極ライン２２の抵抗値を異ならせることによって、対向電極ライン２２ごとに対向電位の分布を変化させることができる。よって、各対向電極ライン２２の電位分布が最適Ｖｃｏｍに近づくように、各対向電極ライン２２の電位分布を調整することが可能である。
【００４２】
また、本実施の形態における液晶表示装置において、複数の対向電極ライン２２の各々は、第１の対向電位入力部２１ａおよび第２の対向電位入力部２１ｂとの接続部の各々に抵抗部２３ａ，２３ｂを備えることを特徴とする。
【００４３】
従って、抵抗部２３ａ，２３ｂの抵抗値を走査信号配線１１の引き回し配線の長さに応じて対向電極ライン２２ごとに変化させれば、各対向電極ライン２２の抵抗値を変化させることが可能である。
【００４４】
本実施の形態における液晶表示装置において、抵抗部２３ａ，２３ｂは酸化インジウムスズ（ＩＴＯ）で形成されており、複数の対向電極ライン２２の各々で抵抗部２３ａ，２３ｂの線幅２３Ｗが異なることを特徴とする。
【００４５】
従って、抵抗部２３ａ，２３ｂの線幅２３Ｗを変化させることにより、抵抗部２３ａ，２３ｂの抵抗値を変化せることが可能であるため、線幅２３Ｗに応じて対向電極ライン２２の抵抗値を変化させることが可能である。
【００４６】
＜実施の形態２＞
図８に、本実施の形態における対向基板の、第１、第２の対向電位入力部２１ａ，２１ｂと対向電極ライン２２との接続部分の平面図を示す。実施の形態１では、抵抗部２３ａ，２３ｂはＩＴＯで形成されたが、本実施の形態では、抵抗部２３ａ，２３ｂを金属部材で形成する。図８に示す様に、対向電極ライン２２が延伸する方向に対して、金属部材の長さ２３Ｌを変化させる。金属部材の長さ２３Ｌを長くすると、相対的に対向電極ライン２２のＩＴＯ部分の長さが短くなり、対向電極ライン２２の抵抗値は小さくなる。逆に、金属部材の長さ２３Ｌを短くすると、相対的に対向電極ラインのＩＴＯ部分の長さが長くなり、対向電極ライン２２の抵抗値は大きくなる。
【００４７】
なお、本実施の形態では、第１、第２の対向電位入力部２１ａ，２１ｂは金属で形成され、抵抗部２３ａ，２３ｂは第１、第２の対向電位入力部２１ａ，２１ｂにそれぞれ直接接続されている。
【００４８】
＜効果＞
本実施の形態における液晶表示装置において、第１、第２の対向電位入力部２１ａ，２１ｂは金属であり、抵抗部２３ａ，２３ｂは金属部材であり、複数の対向電極ライン２２の各々で、対向電極ライン２２が延伸する方向に対する金属部材の長さが異なることを特徴とする。
【００４９】
従って、対向電極ライン２２の両端に備わる、抵抗部２３ａ，２３ｂとしての金属部材の長さ２３Ｌを変化させることにより、対向電極ライン２２ごとに抵抗値を変化させることが可能である。よって、金属部材の長さ２３Ｌを調整することによって、対向電極ライン２２ごとに電位分布を変化させることが可能である。よって、実施の形態１で述べた効果と同様の効果を得ることが可能である。
【００５０】
＜実施の形態３＞
本実施の形態における対向基板２０Ａの構成を図９に示す。本実施の形態においては、第１、第２の対向電位入力部２１ａ，２１ｂは、実施の形態１、２と異なり、ＴＦＴアレイ基板１０上に設けられる。
【００５１】
図９に示すように、各対向電極ライン２２は両端に金属部材２４ａ，２４ｂを備える。対向基板２０Ａに配設された金属部材２４ａ，２４ｂのそれぞれと、ＴＦＴアレイ基板１０に設けられた第１、第２の対向電位入力部２１ａ，２１ｂのそれぞれとは、導電ペースト（例えば銀ペースト）によって形成されるトランスファ（図示せず）を介して電気的に接続されている。その他の構成については、実施の形態１と同じであるため、説明を省略する。
【００５２】
本実施の形態では、対向電極ライン２２ごとに、金属部材２４ａ，２４ｂの面積を変化させる。これにより、金属部材２４ａ，２４ｂと第１、第２の対向電位入力部２１ａ，２１ｂとの接触面積が変化する。接触面積が大きいと、対向電極ライン２２の抵抗値は小さくなり、接触面積が小さいと抵抗値は大きくなる。よって、金属部材２４ａ，２４ｂの面積を変化させることにより、対向電極ライン２２ごとに抵抗値を変化させて、各対向電極ライン２２の電位分布を最適Ｖｃｏｍに近づけることが可能である。
【００５３】
＜効果＞
本実施の形態における液晶表示装置において、第１、第２の対向電位入力部２１ａ，２１ｂはＴＦＴアレイ基板１０に設けられ、複数の対向電極ライン２２の各々は両端に金属部材２４ａ，２４ｂを備え、金属部材２４ａ，２４ｂと、第１、第２の対向電位入力部２１ａ，２１ｂのそれぞれとの接触面積が、複数の対向電極ライン２２において異なることを特徴とする。
【００５４】
従って、対向電極ライン２２の両端に備わる、金属部材２４ａ，２４ｂの面積を変化させることにより、対向電極ライン２２ごとに抵抗値を変化させることが可能である。よって、実施の形態１で述べた効果と同様の効果を得ることが可能である。
【００５５】
＜実施の形態４＞
本実施の形態における対向基板２０Ｂの平面図を図１０に示す。対向基板２０Ｂには、複数の対向電極ライン２２の各々が、複数の走査信号配線１１の各々に平面視で沿って配設されている。対向電極ライン２２の両端には、第１、第２の対向電位入力部２１ａ，２１ｂが接続される。これ以外の構成は実施の形態１と同じであるため、説明を省略する。
【００５６】
本実施の形態では、第１、第２の対向電位入力部２１ａ，２１ｂのそれぞれの両端（即ち端部２１１，２１２，２１３，２１４）に、異なる電圧を入力する。
【００５７】
図１（ａ）に示す様に、表示領域１ａの下辺側にゲートＩＣ１２が実装される場合は、端部２１１に入力する電位は端部２１３に入力する電位よりも低くする。また、端部２１２に入力する電位は端部２１４に入力する電位よりも低くする。これによって、対向電位の分布に図４の様に傾斜を持たせることができる。
【００５８】
さらに、端部２１１に入力する電位は、端部２１２に入力する電位よりも低くし、端部２１３に入力する電位は、端部２１４に入力する電位よりも低くする。これによって、各対向電極ライン２２間の電位分布の相対的な関係を、図４に示す最適Ｖｃｏｍの電位分布に近づけることが可能である。
【００５９】
また、本実施の形態において、実施の形態１と同様に、各対向電極ライン２２は、その両端に抵抗部２３ａ，２３ｂを備えてもよい。抵抗部２３ａ，２３ｂの抵抗値を変化させることで、対向電極ライン２２の抵抗値を変化させることが可能であり、各対向電極ライン２２の電位分布をより精度良く調整することが可能になる。
【００６０】
＜効果＞
本実施の形態における液晶表示装置において、ＴＦＴアレイ基板１０または対向基板２０は、複数の対向電極ライン２２の両端に平面視で沿った第１、第２の対向電位入力部２１ａ，２１ｂを備え、複数の対向電極ライン２２の両端は第１、第２の対向電位入力部２１ａ，２１ｂに接続され、第１、第２の対向電位入力部２１ａ，２１ｂのそれぞれの両端には異なる電位が入力されることを特徴とする。
【００６１】
従って、第１、第２の対向電位入力部２１ａ，２１ｂのそれぞれの両端に異なる電位を入力することによって、対向電極ライン２２の延伸方向および隣接方向に、電位分布の傾斜をもたせることが可能になる。よって、各対向電極ライン２２の電位分布が最適Ｖｃｏｍに近づくように、各対向電極ライン２２の電位分布を調整することが可能である。
【００６２】
また、本実施の形態における液晶表示装置において、複数の対向電極ライン２２の各々の抵抗値が異なることを特徴とする。従って、各対向電極ライン２２の電位分布をより精度良く調整することが可能になる。
【００６３】
＜実施の形態５＞
本実施の形態における対向基板２０Ｃの平面図を図１１に示す。実施の形態４（図１０）では、複数の対向電極ライン２２の各々を、複数の走査信号配線１１の各々に沿って配設した。一方、本実施の形態では、図１１のように、複数の対向電極ライン２２の各々を、複数の画像信号配線１３の各々に沿って配設する。そして、本実施の形態では、表示領域１ａの左右の辺に沿って配置した第１、第２の対向電位入力部２１ａ，２１ｂに代えて、表示領域１ａの上下の辺に沿って第１、第２の対向電位入力部３１ａ，３１ｂを配置する。各対向電極ライン２２の両端は、第１、第２の対向電位入力部３１ａ,３１ｂに接続される。これ以外の構成は実施の形態１と同じであるため、説明を省略する。
【００６４】
本実施の形態では、第１、第２の対向電位入力部３１ａ，３１ｂのそれぞれの両端（即ち端部３１１，３１２，３１３，３１４）に、異なる電圧を入力する。
【００６５】
図１（ａ）に示す位置にゲートＩＣ１２が実装される場合は、端部３１１に入力する電位は、端部３１２に入力する電位よりも低くし、端部３１３に入力する電位は、端部３１４に入力する電位よりも低くする。これによって、対向電位の分布に図４の様に傾斜を持たせることができる。
【００６６】
さらに、端部３１１に入力する電位は、端部３１２に入力する電位よりも低くし、端部３１３に入力する電位は、端部３１４に入力する電位よりも低くする。これによって、各対向電極ライン２２間の電位分布の相対的な関係を、図４の最適Ｖｃｏｍの電位分布に近づけることが可能である。
【００６７】
また、本実施の形態において、実施の形態１と同様に、各対向電極ライン２２は、その両端に抵抗部２３ａ，２３ｂを備えてもよい。抵抗部２３ａ，２３ｂの抵抗値を変化させることで、各対向電極ライン２２の抵抗値を異ならせることが可能である。よって、各対向電極ライン２２の電位分布をより精度良く調整することが可能になる。
【００６８】
なお、画像信号配線１３直上に対向電極ライン２２を形成しないことにより、画像信号配線１３が持つ寄生容量を減少させることができる。これにより、ソースＩＣ１４の駆動消費電力を減らすことが可能である。また、ソースＩＣの発熱量を抑えることが可能である。また、ソースＩＣのインピーダンスによる画素信号の遅延が減少するため、充電時間をより長く確保することができる。
【００６９】
＜実施の形態６＞
本実施の形態における対向基板２０Ｄの構成を図１２（ａ）に示す。本実施の形態における対向基板２０Ｄは、実施の形態１（図２）の対向基板２０において、抵抗部２３ａ,２３ｂを備えない構成とする。本実施の形態において、第１、第２の対向電位入力部２１ａ,２１ｂは、ＩＴＯで形成されている。
【００７０】
図１（ａ）に示す位置にゲートＩＣ１２が実装される場合について考える。この場合、実施の形態１で図４を用いて説明した様に、最適Ｖｃｏｍは、第２の対向電位入力部２１ｂ側（即ち終端側）の方が高くなる。また、表示領域１ａの下辺側よりも上辺側の方が、最適Ｖｃｏｍが高くなる。よって、第１の対向電位入力部２１ａには下端２１５から電位Ｖ１を入力し、第２の対向電位入力部２１ｂには上端２１６から、電位Ｖ１よりも高い電位Ｖ２を入力する。
【００７１】
第１、第２の対向電位入力部２１ａ，２１ｂはＩＴＯで形成されており、これ自体が抵抗体となるため、第１の対向電位入力部２１ａの下端２１５から入力された電位は、上端に向かって低くなる。また、第２の対向電位入力部２１ｂの上端２１６から入力された電位は、下端に向かって低くなる。よって、各対向電極ライン２２の電位は、第１の対向電位入力部２１ａ側から第２の対向電位入力部側２１ｂへ向かって大きくなる。また、表示領域１ａの下側から上側に向かって、対向電極ライン２２の電位が大きくなる。つまり、各電極ライン２２の電位分布を、図２に示した最適Ｖｃｏｍの分布に近づけることができる。
【００７２】
また、図１２（ｂ），（ｃ）に示す様に、第１、第２の対向電位入力部２１ａ，２１ｂの幅を、第１、第２の対向電位入力部２１ａ，２１ｂの延伸方向において変化させてもよい。例えば、図１２（ｂ）では、第１、第２の対向電位入力部２１ａ，２１ｂの幅を、電位を入力する側の端から他端へ向かって狭くしている。このようにすることで、幅が狭くなるに従って、単位長さ当たりの抵抗値はより大きくなるため、第１、第２の対向電位入力部２１ａ，２１ｂのそれぞれの両端において、電位差をより大きくすることが可能である。
【００７３】
一方、図１２（ｃ）では、第１、第２の対向電位入力部２１ａ，２１ｂの幅を、電位を入力する側の端から他端へ向かって広くしている。このようにすることで、幅が広くなるに従って、単位長さ辺りの抵抗値はより小さくなるため、第１、第２の対向電位入力部２１ａ，２１ｂのそれぞれの両端において、電位差をより小さくすることが可能である。
【００７４】
このように、第１、第２の対向電位入力部２１ａ，２１ｂをＩＴＯで形成し、さらに第１、第２の対向電位入力部２１ａ，２１ｂの幅を変化させることで、各電極ライン２２の電位分布をより細かく調整することができる。
【００７５】
＜効果＞
本実施の形態における液晶表示装置において、ＴＦＴアレイ基板１０または対向基板２０は、複数の対向電極ライン２２の両端に平面視で沿った第１、第２の対向電位入力部２１ａ，２１ｂを備え、複数の対向電極ライン２２の両端は第１、第２の対向電位入力部２１ａ，２１ｂに接続され、第１、第２の対向電位入力部２１ａ，２１ｂには、異なる電位が入力され、第１、第２の対向電位入力部２１ａ，２１ｂは酸化インジウムスズ（ＩＴＯ）で形成されることを特徴とする。
【００７６】
従って、実施の形態１の様に対向電極ライン２２の両端に抵抗部２３ａ，２３ｂを備える代わりに、第１、第２の対向電位入力部２１ａ，２１ｂをＩＴＯとすることで、第１、第２の対向電位入力部２１ａ，２１ｂ自体が抵抗体となるため、実施の形態１で述べた効果と同様の効果を得ることが可能である。
【００７７】
本実施の形態における液晶表示装置において、第１の対向電位入力部２１ａおよび第２の対向電位入力部２１ｂは、第１、２の対向電位入力部２１ａ，２１ｂが延伸する方向に対して、その幅が変化することを特徴とする。
【００７８】
従って、第１、２の対向電位入力部２１ａ，２１ｂをＩＴＯで形成し、さらにその幅を変化させることで、第１、第２の対向電位入力部２１ａ，２１ｂの抵抗値の変化を調整することが可能である。よって、各対向電極ライン２２の電位分布を最適Ｖｃｏｍの分布により近づけることが可能となる。
【００７９】
＜実施の形態７＞
実施の形態１〜６においては、対向電極ライン２２の表示領域１ａ内における線幅は一定であるとした。つまり、表示領域１ａ内における対向電極ライン２２の抵抗値は一定であった。本実施の形態では、対向電極ライン２２の表示領域１ａ内における形状をライン上で変化させる。これ以外の構成は、実施の形態１〜６の各々の構成と同じであるため、説明を省略する。
【００８０】
図１３に、対向電極ライン２２の部分平面図を示す。スリット部２２ａ，２２ｂ，２２ｃ，２２ｄにおいて、スリットを設けることによって、対向電極２２の線幅が狭くなっている。また、その狭さの度合いは各領域において異なる。このように、対向電極ライン２２の線幅をライン上で変化させることによって、対向電極ライン２２上において、抵抗値に分布を持たせることができる。
【００８１】
対向電極ライン２２の表示領域１ａ内における形状（例えば線幅）を変化させることによって、図１４に示すように、最適Ｖｃｏｍの分布が飽和曲線を描き、走査信号配線終端部ではゆるやかな傾斜となる場合であっても、対向電極ライン２２の電位分布を最適Ｖｃｏｍの電位分布に近づけることが可能である。信号遅延が特に大きい場合において、最適Ｖｃｏｍの電位分布は図１４のような分布となる。
【００８２】
なお、図１３において、スリット部２２ａ，２２ｂ，２２ｃ，２２ｄを、カラーフィルタのブラックマトリクスと平面視で重なるように設けることによって、線幅の変化が表示画像の視認性に与える影響を抑制することが可能である。
【００８３】
＜効果＞
本実施の形態における液晶表示装置において、対向電極ライン２２の形状が、延伸方向において変化することを特徴とする。
【００８４】
従って、対向電極ライン２２上で、例えばスリット部を設けて線幅を変化させることによって、対向電極ライン２２上において抵抗値に分布を持たせることが可能となる。よって、最適Ｖｃｏｍの分布が曲線を描く場合であっても、スリット部の位置およびスリットの深さを変化させることによって、対向電位の分布を最適Ｖｃｏｍの分布に近づけることが可能である。
【００８５】
なお、本発明は、その発明の範囲内において、各実施の形態を自由に組み合わせたり、各実施の形態を適宜、変形、省略することが可能である。
【符号の説明】
【００８６】
１０  ＴＦＴアレイ基板、１１  走査信号配線、１２  ゲートＩＣ、１１ａ，１３ａ  引き回し配線領域、１３  画像信号配線、１４  ソースＩＣ、２０，２０Ａ，２０Ｂ，２０Ｃ，２０Ｄ  対向基板、２１ａ，３１ａ  第１の対向電位入力部、２１ｂ，３１ｂ  第２の対向電位入力部、２２  対向電極ライン、２２ａ，２２ｂ，２２ｃ，２２ｄ  スリット部、２３ａ,２３ｂ  抵抗部、２４ａ，２４ｂ  金属部材。
【図１】
2014190997.tif 000003
【図２】
2014190997.tif 000004
【図３】
2014190997.tif 000005
【図４】
2014190997.tif 000006
【図５】
2014190997.tif 000007
【図６】
2014190997.tif 000008
【図７】
2014190997.tif 000009
【図８】
2014190997.tif 000010
【図９】
2014190997.tif 000011
【図１０】
2014190997.tif 000012
【図１１】
2014190997.tif 000013
【図１２】
2014190997.tif 000014
【図１３】
2014190997.tif 000015
【図１４】
2014190997.tif 000016